(57)【要約】【課題】運転時の電力消費量を小さく抑える。【解決手段】庫内が冷凍温度となる食品室５、７と食品室１１の間で上と下から直接挟まれた野菜室９を、その野菜室９が規定温度以下となった時にオンとなり温める温度補償ヒータ１７とは別に、冷凍サイクルを構成する凝縮器１９と連通しその凝縮器１９の一部となる冷凍サイクルパイプ２１の放熱で常に野菜室９を暖める。【選択図】図１
2007113825.tif 000002
【特許請求の範囲】
【請求項１】
冷蔵庫本体に、圧縮機から吐出された冷媒が凝縮器，絞り装置，蒸発器を通り再び圧縮機に戻る冷凍サイクルと、庫内が冷凍温度となる二つの食品室と、その食品室と食品室の間で上と下から直接挟まれた野菜室と、その野菜室が規定温度以下となった時にオンとなり野菜室を暖める温度補償ヒータとを有し、前記野菜室は、前記温度補償ヒータとは別に前記凝縮器と連通しその凝縮器の一部となる冷凍サイクルパイプによる放熱で常に暖められることを特徴とする冷蔵庫。
【請求項２】
前記冷凍サイクルパイプを、野菜室の背部に配置したことを特徴とする請求項１記載の冷蔵庫。
【請求項３】
前記冷凍サイクルパイプを、野菜室の側部に配置したことを特徴とする請求項１記載の冷蔵庫。
【請求項４】
前記冷凍サイクルパイプは、冷蔵庫本体の一部分に配置された凝縮器の一部となる冷凍サイクル放熱用の放熱パイプであることを特徴とする請求項１，２，３記載の冷蔵庫。
【請求項５】
前記冷凍サイクルパイプは、庫内開口周縁に沿って配置された凝縮器の一部となる庫内霜取り用の防露パイプであることを特徴とする請求項３記載の冷蔵庫。
【発明の詳細な説明】
【技術分野】
【０００１】
本発明は冷蔵庫に関する。
【背景技術】
【０００２】
一般に冷蔵庫には、上から順に冷蔵室、野菜室、冷凍室を有し、その外に近年は製氷室と切替室を新たに加えたものが、製品化されている。その図を図９に示す。
【０００３】
図９は冷蔵庫の正面図を示したもので、製氷室１０１と切替室１０３は、それぞれ独立した引き出しタイプとなっていて、左右並列に配置されている。配置場所としては使い勝手の面から冷蔵室１０５の下で、野菜室１０７の上に位置し上から順に冷蔵室１０５、左右並列の製氷室１０１及び切替室１０３、野菜室１０７、冷凍室１０９となるレイアウト構造となっている。
【発明の開示】
【発明が解決しようとする課題】
【０００４】
冷蔵室のレイアウト構造をみると、野菜室１０７は並列に配置された製氷室１０１及び切替室１０３と冷凍室１０９とによって上と下から直接挟まれた構造となる。
【０００５】
製氷室１０１と切替室１０３の内、製氷室１０１は氷を作る場所で庫内はマイナスの冷凍温度となる。切替室１０３は食料品に対応してプラス温度からマイナスの冷凍温度まで幅広く切替えられるようになっていて、野菜室１０７は下位の冷凍室１０９とによりマイナスとなる冷凍温度帯によって上と下から挟まれたサンドイッチ構造となる。このために、野菜室１０７の庫内が規定温度以下に達する不具合をかかえる。
【０００６】
野菜室１０７は、野菜等を保存する性質上、規定温度以下とならないことが望ましく一般には温度補償ヒータで暖めているが、電力を消費するためランニングコストの面で望ましくなかった。
【０００７】
そこで、本発明にあっては、電力の消費量を小さく抑えることに成功した冷蔵庫を提供することを目的としている。
【課題を解決するための手段】
【０００８】
前記目的を達成するために本発明にあっては、冷蔵庫本体に、圧縮機から吐出された冷媒が凝縮器，絞り装置，蒸発器を通り再び圧縮機に戻る冷凍サイクルと、庫内が冷凍温度となる二つの食品室と、その食品室と食品室の間で上と下から直接挟まれた野菜室と、その野菜室が規定温度以下となった時にオンとなり野菜室を暖める温度補償ヒータとを有し、前記野菜室は、前記温度補償ヒータとは別に前記凝縮器と連通しその凝縮器の一部となる冷凍サイクルパイプによる放熱で常に暖められることを特徴とする。
【発明の効果】
【０００９】
本発明によれば、野菜室を凝縮器の一部となる冷凍サイクルパイプによるを放熱によって常に暖めることができる。この時、冷凍サイクルパイプによる放熱を利用するためコストはかからない。一方、放熱によって野菜室は規定温度以下にはなりにくく、温度補償ヒータの使用頻度を大幅に抑えることができる。この結果、ヒータにともなうヒータ電力使用量を少くできるため、ランニングコストの面で大変好ましいものとなる。
【発明を実施するための最良の形態】
【００１０】
本発明にあっては第１に、前記冷凍サイクルパイプを、野菜室の背部に配置することで、背部から暖める。
【００１１】
第２に、前記冷凍サイクルパイプを、野菜室の側部に配置することで、側部から暖める。
【００１２】
第３に、前記冷凍サイクルパイプを、冷蔵庫本体の一部分に配置された凝縮器の一部となる冷凍サイクル放熱用の放熱パイプとすることで、野菜室の背部又は側部に対して容易に延長配置できるようにする。
【００１３】
第４に、前記冷凍サイクルパイプを、庫内開口周縁に沿って配置された凝縮器の一部となる庫内霜取り用の防露パイプとすることで、野菜室の側部に対して容易に延長配置できるようにする。
【実施例】
【００１４】
以下、図１乃至図８の図面を参照しながら本発明の実施形態について具体的に説明する。
【００１５】
図１は本発明にかかる冷蔵庫の概要切断側面図，図２は冷蔵庫の概要正面図をそれぞれ示している。
【００１６】
冷蔵庫本体１は、上から順に配置された冷蔵室３と、並列配置された製氷室５及び切替室７と、野菜室９と、冷凍室１１とをそれぞれ有している。冷蔵室３は、独立した庫内となっていて、ドア３ａはヒンジ１５を支点として開閉するヒンジタイプとなっている。
【００１７】
並列配置された製氷室５及び切替室７の外に野菜室９と冷凍室１１の各ドア３ａ，５ａ，９ａ，１１ａは、それぞれ独立した庫内を有する引き出しタイプとなっている。野菜室９は野菜等を保存するところで冷凍室１１と、製氷室５及び切替室７に比べて比較的高い温度に設定されている。
【００１８】
製氷室５及び切替室７の内、製氷室５は氷を作るところで、庫内はマイナスの冷凍温度となるよう管理されている。切替室７は、食料品に対応してプラス温度からマイナスの冷凍温度まで切替え制御可能となっている。
【００１９】
冷凍室１１は冷凍食品を保存するところで、庫内はマイナスの冷凍温度となるよう管理され、前記した野菜室９はマイナスの冷凍温度帯によって上下から挟みつけられたレイアウト構造となっている。野菜室９は、温度補償ヒータ１７の外に、冷凍サイクルを構成する凝縮器１９の一部となる冷凍サイクルパイプ２１の放熱によって暖められるようになっている。
【００２０】
温度補償ヒータ１７は、野菜室９の天井面，底面，背面にはわたって配置され、野菜室９の庫内に設置された庫内温度センサＳが規定温度以下の温度を検出した時にオンとなり、庫内を暖めるようになっている。
【００２１】
したがって、庫内が規定温度以下とならない限り温度補償ヒータ１７は待機状態におかれる。
【００２２】
一方、野菜室を暖める冷凍サイクルパイプ２１は、図４、図５に示すように凝縮器１９と連通し凝縮器１９の一部となる冷凍サイクル放熱用の放熱パイプ２３及び庫内霜取り用の防露パイプ２５となっている。
【００２３】
凝縮器１９は、圧縮機２７，絞り装置２９，蒸発器３１とで冷凍サイクルを構成している。蒸発器３１は冷蔵庫本体１の後部に設けられた冷却通路３３内（一部分を示す）に、配置され、蒸発器３１によって熱交換された冷気がファン（図示していない）によって各庫内へ送り込まれることで、庫内冷却が行なわれる。
【００２４】
なお、圧縮機２７を始めとして凝縮器１９、絞り装置２９は冷蔵室本体１の後方下部に設けられた機械室３５内に配置されるようになっている。
【００２５】
放熱パイプ２３は既設の冷凍サイクル放熱用の放熱パイプとなっていて、圧縮機２７から吐出された冷媒が流れるため、高温・高圧の冷媒が流れる。配置場所は内箱パネル１３ａと外箱パネル１３ｂとによって構成された冷蔵庫本体１の外箱パネル１３ｂに沿って設けられているため、その一部分を図３、図４に示すように野菜室９の背部まで延長配置２３ａ（点線内）してある。あるいは図６、図７に示すように野菜室９の側部まで放熱パイプ２３を延長配置２３ａ（点線内）した手段としてもよい。この場合、図示の如く両側部に配置する構造であっても可能である。
【００２６】
これにより、既設の放熱パイプ２３を利用するため、配置作業が容易となる。この場合、背部と側部とを組合せる手段であってもよい。
【００２７】
防露パイプ２５は既設の庫内霜取り用の防露パイプとなっていて、凝縮器１９の下流にあって中温・低圧の冷媒が流れる。配置場所は庫内開口周縁に沿って設けられているところから、その一部分を図８に示すように野菜室９の側部まで延長配置２３ａ（点線内）した手段としてある。この場合、図示の如く両側部に配置する構造であってもよい。
【００２８】
これにより、既設の防露パイプ２５を利用するため配置作業が容易となる。この場合、いずれも、放熱パイプ２３及び防露パイプ２５の放熱を利用する手段となるため、ヒータのようにランニングコストがかかることはない。
【００２９】
なお、野菜室９の背部及び側部まで延長配置する放熱パイプ２３及び防露パイプ２５は外箱パネル１３ａの内側に沿って設けられているが、外側パネル１３ｂの外側に設けてもよい。この場合、見栄えの面から目隠し用の化粧カバーを用いることが望ましい。
【００３０】
このように構成された冷蔵庫によれば、冷蔵庫運転中の野菜室９は、冷凍サイクルパイプ２１となる放熱パイプ２３又は防露パイプ２５による放熱によって暖められる。この時パイプによる放熱を利用するためのコストはかからない。一方、放熱によって野菜室９の庫内が規定温度以下にはなりにくく、温度補償ヒータ１７の使用頻度が大幅に抑えられる。この結果、ヒータにともなうヒータ電力使用量を少なくできるため、ランニングコストの面で大変好ましいものとなる。
【図面の簡単な説明】
【００３１】
【図１】本発明にかかる冷蔵庫の概要切断面図。
【図２】冷蔵庫の概要正面図。
【図３】野菜室の背部に冷凍サイクルパイプとなる放熱パイプを配置した冷蔵庫の概要側面図。
【図４】冷凍サイクルパイプとなる放熱パイプの一部分を野菜室の背部に延長配置した概要説明図。
【図５】冷凍サイクル図。
【図６】冷凍サイクルパイプとなる放熱パイプの一部分を野菜室の内側部に延長配置した概要説明図。
【図７】野菜室の両側部に冷凍サイクルとなる放熱パイプを配置した冷蔵庫の概要側面図。
【図８】冷凍サイクルパイプとなる防露パイプの一部分を野菜室の両側部に延長配置した概要説明図。
【図９】一般に製品化されている冷蔵庫の概要正面図。
【符号の説明】
【００３２】
１    冷蔵庫本体
３    冷蔵室
５    製氷室（食品室）
７    切替室（食品室）
９    野菜室
１１    冷凍室（食品室）
１７    温度補償ヒータ
１９    凝縮器
２１    冷凍サイクルパイプ
２３    放熱パイプ
２５    防露パイプ
２７    圧縮機
２９    絞り装置
３１    蒸発器
【図１】
2007113825.tif 000003
【図２】
2007113825.tif 000004
【図３】
2007113825.tif 000005
【図４】
2007113825.tif 000006
【図５】
2007113825.tif 000007
【図６】
2007113825.tif 000008
【図７】
2007113825.tif 000009
【図８】
2007113825.tif 000010
【図９】
2007113825.tif 000011